(57)【要約】【課題】  容易な操作で楽曲中の任意の範囲を移動体通信端末の着信音として使用する。【解決手段】  移動体通信端末１００は、楽曲の全範囲を示す楽曲データを取得するとともに、当該楽曲の構成部分を示す構成情報を取得する。移動体通信端末１００では、ユーザが所望する構成部分を指定すると、当該構成部分を基準とした許容範囲を明示するインジケータを表示部１４３に表示する。移動体通信端末１００は楽曲を再生しながら、楽曲の進行にあわせたインジケータ表示をおこなう。ユーザは、再生された楽曲を聴きながら、所望する始点もしくは終点を指定する。移動体通信端末１００は、ユーザが指定された位置が許容範囲内であれば、ユーザが設定した再生範囲として記録し、着信時に当該再生範囲を着信音として再生する。指定した位置が許容範囲外であれば、自動的に始点もしくは終点を変更するとともに、その旨を示すポップアップウィンドウを表示部１４３に表示する。【選択図】  図１
2006091680.tif 000002
【特許請求の範囲】
【請求項１】
任意の楽曲データを取得して記憶する楽曲データ取得手段と、前記楽曲データ取得手段が取得した楽曲データを着信音として出力する着信音出力手段と、を備えた移動体通信端末において、
前記楽曲データ取得手段が取得した楽曲データの構成を識別する構成識別手段と、
前記構成識別手段が識別した前記楽曲データの構成に基づいて、着信音として使用する前記楽曲データの範囲を指定するための範囲指定情報を生成して出力する範囲指定情報出力手段と、
前記範囲指定情報出力手段が出力した範囲指定情報に応じたユーザの操作に基づいて、前記楽曲データを着信音として再生する範囲を指定する再生範囲指定手段と、をさらに備え、
前記着信音出力手段は、前記再生範囲指定手段が指定した再生範囲で前記楽曲データを着信音として出力する、
ことを特徴とする移動体通信端末。
【請求項２】
前記構成識別手段は、
前記楽曲データの構成を示す構成情報を取得して記憶する構成情報取得手段をさらに備え、
該構成情報取得手段が取得した構成情報に基づいて、前記楽曲データの構成を識別する、
ことを特徴とする請求項１に記載の移動体通信端末。
【請求項３】
前記再生範囲指定手段は、ユーザの操作に基づいて、再生範囲の始点もしくは終点を決定する、
ことを特徴とする請求項１または２に記載の移動体通信端末。
【請求項４】
前記再生範囲指定手段は、前記構成情報に基づいて、再生範囲の始点もしくは終点を決定する、
ことを特徴とする請求項１乃至３のいずれか１項に記載の移動体通信端末。
【請求項５】
前記再生範囲指定手段が決定した再生範囲の始点もしくは終点が、所定の許容範囲内であるか否かを判別する判別手段をさらに備え、
前記再生範囲指定手段は、
前記判別手段により、許容範囲内ではないと判別された場合、決定した始点もしくは終点を変更する、
ことを特徴とする請求項３または４に記載の移動体通信端末。
【請求項６】
前記範囲指定情報出力手段は、
前記判別手段により、許容範囲内ではないと判別された場合に、当該範囲が所定の許容範囲内ではない旨を示す通知情報を出力する、
ことを特徴とする請求項５に記載の移動体通信端末。
【請求項７】
前記再生範囲指定手段が指定した再生範囲を示す範囲情報を記録する範囲情報記録手段をさらに備え、
前記着信音出力手段は、前記範囲情報記録手段が記録した範囲情報に基づいて、前記楽曲データを着信音として出力する、
ことを特徴とする請求項１乃至６のいずれか１項に記載の移動体通信端末。
【請求項８】
前記楽曲データのうち、前記再生範囲指定手段が指定した再生範囲に対応する部分を抽出する楽曲データ抽出手段と、
前記楽曲データ抽出手段が抽出した楽曲データを記憶する楽曲データ記憶手段と、をさらに備え、
前記着信音出力手段は、前記楽曲データ記憶手段に記憶されている楽曲データを着信音として出力する、
ことを特徴とする請求項１乃至７のいずれか１項に記載の移動体通信端末。
【請求項９】
前記楽曲データ取得手段は、任意の楽曲についての全範囲を示す楽曲データを取得し、
前記構成識別手段は、当該楽曲の構成を識別する、
ことを特徴とする請求項１乃至８のいずれか１項に記載の移動体通信端末。
【請求項１０】
前記範囲指定情報出力手段は、
前記再生範囲を指定するための画像を生成する画像生成手段と、
前記画像生成手段が生成した画像を表示する画像表示手段と、をさらに備える、
ことを特徴とする請求項１乃至９のいずれか１項に記載の移動体通信端末。
【請求項１１】
移動体通信端末のコンピュータに、
任意の楽曲データを取得して記録する機能と、
前記楽曲データの構成を示す構成情報を取得して記録する機能と、
取得した楽曲データの構成を識別する機能と、
識別した楽曲データの構成に基づいて、前記楽曲データを着信音として再生する再生範囲を指定するための範囲指定情報を出力する機能と、
出力した範囲指定情報に応じたユーザの操作に基づいて、再生範囲の始点もしくは終点を指定して記録する機能と、
識別した楽曲データの構成に基づいて、再生範囲の始点もしくは終点を指定して記録する機能と、
所定の許容範囲に基づいて、指定した始点もしくは終点を変更する機能と、
指定した再生範囲の楽曲データを抽出する機能と、
抽出した楽曲データを着信音として出力する機能と、
を実現させることを特徴とするプログラム。
【発明の詳細な説明】
【技術分野】
【０００１】
本発明は、移動体通信端末、および、プログラムに関し、特に、楽曲データを取得して着信音として出力する移動体通信端末等に関する。
【背景技術】
【０００２】
携帯電話などの移動体通信においては、楽曲を着呼のときの着信音とすること（以下、「楽曲着信音」という）が広くおこなわれている。このような楽曲着信音に用いられる楽曲データは、インターネットなどを介して移動体通信端末に配信される形態が一般的である。近時では、歌手などによる歌声を含んだ楽曲なども楽曲着信音として配信されている。
【０００３】
従来、配信される楽曲データは、楽曲の一部分（例えば、楽曲の特徴部分、いわゆる「サビ」など）のみであることが一般的であった。このため、ユーザが、配信された楽曲部分以外の他の部分を着信音として使用したいと所望しても、配信された楽曲部分しか着信音として使用することができなかった。
【０００４】
一方、ＣＤ（Compact Disc：コンパクトディスク）などの記録媒体に記録されている楽曲データを移動体通信端末に取り込んで着信音として使用する手法も実現されている。このような形態では、取り込む音源データをユーザが編集することで、ユーザが所望する箇所を着信音として使用できる手法も提案されている（例えば、特許文献１）。
【０００５】
しかしながら、特許文献１に開示されている手法では、移動体通信端末以外の装置を用いて作業しなければならない。また、音源となる記録媒体を用意する必要があり、ユーザの作業が繁雑であった。
【特許文献１】特開２００２−２０７４８９号公報
【発明の開示】
【発明が解決しようとする課題】
【０００６】
本発明は、上記実状に鑑みてなされたものであり、楽曲中の任意の箇所を容易に着信音として使用することができる移動体通信端末等を提供することを目的とする。
【課題を解決するための手段】
【０００７】
上記目的を達成するため、本発明の第１の観点にかかる移動体通信端末は、
任意の楽曲データを取得して記憶する楽曲データ取得手段と、前記楽曲データ取得手段が取得した楽曲データを着信音として出力する着信音出力手段と、を備えた移動体通信端末において、
前記楽曲データ取得手段が取得した楽曲データの構成を識別する構成識別手段と、
前記構成識別手段が識別した前記楽曲データの構成に基づいて、着信音として使用する前記楽曲データの範囲を指定するための範囲指定情報を生成して出力する範囲指定情報出力手段と、
前記範囲指定情報出力手段が出力した範囲指定情報に応じたユーザの操作に基づいて、前記楽曲データを着信音として再生する範囲を指定する再生範囲指定手段と、をさらに備え、
前記着信音出力手段は、前記再生範囲指定手段が指定した再生範囲で前記楽曲データを着信音として出力する、
ことを特徴とする。
【０００８】
上記移動体通信端末において、
前記構成識別手段は、
前記楽曲データの構成を示す構成情報を取得して記憶する構成情報取得手段をさらに備えていることが望ましく、この場合、
該構成情報取得手段が取得した構成情報に基づいて、前記楽曲データの構成を識別することが望ましい。
【０００９】
上記移動体通信端末において、
前記再生範囲指定手段は、ユーザの操作に基づいて、再生範囲の始点もしくは終点を決定することが望ましい。
【００１０】
上記移動体通信端末において、
前記再生範囲指定手段は、前記構成情報に基づいて、再生範囲の始点もしくは終点を決定することが望ましい。
【００１１】
上記移動体通信端末は、
前記再生範囲指定手段が決定した再生範囲の始点もしくは終点が、所定の許容範囲内であるか否かを判別する判別手段をさらに備えていることが望ましく、この場合、
前記再生範囲指定手段は、
前記判別手段により、許容範囲内ではないと判別された場合、決定した始点もしくは終点を変更することが望ましい。
【００１２】
上記移動体通信端末において、
前記範囲指定情報出力手段は、
前記判別手段により、許容範囲内ではないと判別された場合に、当該範囲が所定の許容範囲内ではない旨を示す通知情報を出力することが望ましい。
【００１３】
上記移動体通信端末は、
前記再生範囲指定手段が指定した再生範囲を示す範囲情報を記録する範囲情報記録手段をさらに備えていることが望ましく、この場合、
前記着信音出力手段は、前記範囲情報記録手段が記録した範囲情報に基づいて、前記楽曲データを着信音として出力することが望ましい。
【００１４】
上記移動体通信端末は、
前記楽曲データのうち、前記再生範囲指定手段が指定した再生範囲に対応する部分を抽出する楽曲データ抽出手段と、
前記楽曲データ抽出手段が抽出した楽曲データを記憶する楽曲データ記憶手段と、をさらに備えていることが望ましく、この場合、
前記着信音出力手段は、前記楽曲データ記憶手段に記憶されている楽曲データを着信音として出力することが望ましい。
【００１５】
上記移動体通信端末において、
前記楽曲データ取得手段は、任意の楽曲についての全範囲を示す楽曲データを取得し、
前記構成識別手段は、当該楽曲の構成を識別することが望ましい。
【００１６】
上記移動体通信端末において、
前記範囲指定情報出力手段は、
前記再生範囲を指定するための画像を生成する画像生成手段と、
前記画像生成手段が生成した画像を表示する画像表示手段と、をさらに備えていることが望ましい。
【００１７】
上記目的を達成するため、本発明の第２の観点にかかるプログラムは、
移動体通信端末のコンピュータに、
任意の楽曲データを取得して記録する機能と、
前記楽曲データの構成を示す構成情報を取得して記録する機能と、
取得した楽曲データの構成を識別する機能と、
識別した楽曲データの構成に基づいて、前記楽曲データを着信音として再生する再生範囲を指定するための範囲指定情報を出力する機能と、
出力した範囲指定情報に応じたユーザの操作に基づいて、再生範囲の始点もしくは終点を指定して記録する機能と、
識別した楽曲データの構成に基づいて、再生範囲の始点もしくは終点を指定して記録する機能と、
所定の許容範囲に基づいて、指定した始点もしくは終点を変更する機能と、
指定した再生範囲で楽曲データを着信音として出力する機能と、
を実現させることを特徴とする。
【発明の効果】
【００１８】
本発明によれば、楽曲の全範囲を示す楽曲データを取得するので、ユーザが所望する任意の部分を移動体通信端末の着信音として設定することができる。この場合、楽曲の特徴部分を示す構成情報などに基づいて、楽曲の構成を識別して編集画面に反映させるので、容易に所望する部分を指定することができる。また、指定された始点または終点が、例えば、移動体通信端末の再生可能時間などの条件に基づく許容範囲内であるか否かを判別し、許容範囲内ではない場合には、自動的に始点もしくは終点が変更されるので、適正な再生範囲の着信音を容易に指定することができる。さらに、移動体通信端末上で処理することができるので、移動体通信端末以外の装置を用いることなく着信音の設定をおこなうことができる。
【発明を実施するための最良の形態】
【００１９】
以下、本発明にかかる実施形態を図面を参照して説明する。
【００２０】
図１は、本実施形態にかかる移動体通信端末１００の外観を示す模式図である。移動体通信端末１００の外観上の構成には、図１に示すような、アンテナ１２１、マイクロフォン１３１、操作部１３２、スピーカ１４１、表示部１４３、などが含まれる。移動体通信端末１００は、携帯電話やＰＨＳ（Personal Handyphone System）などといった移動体通信用の端末装置（電話機）であり、例えば、デジタル方式による通信をおこなう。また、本実施形態にかかる移動体通信端末１００は、楽曲などの楽曲データを取得して着信音（以下、「楽曲着信音」とする）として出力可能であるものとする。このような移動体通信端末１００の構成を図２を参照して説明する。
【００２１】
図２は、移動体通信端末１００が携帯電話である場合の構成を示すブロック図である。図示するように、移動体通信端末１００は、制御部１１０、アンテナ１２１、データ通信部１２２、受信部１２３、送信部１２４、マイクロフォン１３１、操作部１３２、スピーカ１４１，１４２、表示部１４３、画面生成部１４４、音声データ処理部１６１、Ｄ／Ａ１６２、Ａ／Ｄ１７１、エンコード部１７２、着信音制御部１８０、記憶部１９０、などから構成される。
【００２２】
制御部１１０は、例えば、ＣＰＵ（Central Processing Unit：中央演算処理装置）などから構成され、移動体通信端末１００の各部を制御する。
【００２３】
アンテナ１２１、データ通信部１２２、受信部１２３、および、送信部１２４は、移動体通信端末１００の通信動作を実現するための構成である。データ通信部１２２は、例えば、インターネットなどを介して他の装置とのデータ通信をおこなう。受信部１２３と送信部１２４は、移動体通信網を介して他の電話機との音声通話をおこなう。データ通信および音声通話で送受信される情報は、アンテナ１２１を介して入出力される。
【００２４】
マイクロフォン１３１は、音声通話時のユーザの発話音声を入力する。操作部１３２は、例えば、十字カーソルキーや、数字や文字を入力するための英数字キー、機能などを指定するためのボタンなどから構成され、移動体通信端末１００のユーザによって操作される。操作解析部１３３は、操作部１３２による操作を認識して制御部１１０に入力する。本実施形態では、表示部１４３の画面上に画像として表示されるボタン（選択欄）等と、操作部１３２を構成する物理的なキー等とを随時連動させることで、操作部１３２の各キーに複数の機能を割り当てる。このため、操作解析部１３３は、操作部１３２の操作と画面上に表示されている画像とが関連付けられるよう認識して、制御部１１０に入力するものとする。
【００２５】
スピーカ１４１は、音声通話における着話音声などを出力し、スピーカ１４２は、着信音などの音声を出力する。
【００２６】
表示部１４３は、例えば、液晶表示装置（ＬＣＤ：Liquid Crystal Display）から構成され、移動体通信端末１００による種々の動作を実行するための画像等を表示する。画面生成部１４４は、表示部１４３に表示する画像を生成する。
【００２７】
音声データ処理部１６１は、音声通話時の着話音声情報を受信部１２３から取得しデコードする。Ｄ／Ａ（デジタル−アナログ変換器）１６２は、デコードされたデジタル音声データをアナログ音声信号に変換し、スピーカ１４１から出力する。
【００２８】
Ａ／Ｄ（アナログ−デジタル変換器）１７１は、音声通話時にマイクロフォン１３１から入力された発話音声をデジタルデータに変換する。エンコード部１７２は、変換されたデジタルデータを符号化（エンコード）し、送信部１２４に送出する。
【００２９】
着信音制御部１８０は、移動体通信端末１００で着信時に出力される着信音に関する処理をおこなう。着信音制御部１８０は、楽曲編集部１８１、再生部１８２、Ｄ／Ａ１８３を含む。
【００３０】
楽曲編集部１８１は、楽曲を示す楽曲データをユーザが編集するためのインタフェースの制御などをおこない、ユーザによる編集を可能とする。本実施形態では、制御部１１０および画像生成部１４４との協働により、楽曲を編集するための画像を生成して表示部１４３に表示する。
【００３１】
再生部１８２は、記憶部１９０に格納されている楽曲データを再生する。ここでは、楽曲データ（デジタルデータ）をデコードしてＤ／Ａ１８３に送出する。
【００３２】
Ｄ／Ａ（デジタル−アナログ変換器）１８３は、デコードされた楽曲データをアナログ信号に変換してスピーカ１４２に送出する。これにより、楽曲が着信音として報音される。
【００３３】
記憶部１９０は、例えば、ＲＯＭやフラッシュメモリなどの記憶装置から構成され、主に、ユーザ個別の情報（ユーザデータ）を蓄積する。本実施形態では、着信音として使用する楽曲データなどを格納する。すなわち、着信音制御部１８０の制御により、記憶部１９０には、着信音に関するデータを格納するための領域が作成される。
【００３４】
本実施形態では、楽曲配信サービスを提供するウェブサイトからダウンロードされた楽曲データが格納される。楽曲データには、楽曲を再生するための実データと付加情報から構成されたファイルが楽曲毎に作成される。このファイルには、楽曲の全範囲を示す「フル楽曲ファイル」と、楽曲の一部分を示す「着信音ファイル」の２種類が用意されるものとする。「着信音ファイル」は、着信音制御部１８０の再生部１８２が着信音として再生する楽曲データを含んだファイルである。着信音ファイルは、配信者により予め編集された楽曲データの他、本実施形態では、後述する編集処理によりユーザが編集した楽曲データが含まれる。
【００３５】
ここで、「フル楽曲ファイル」と「着信音ファイル」のデータ構成を図３を参照して説明する。
【００３６】
図３（ａ）は、「フル楽曲ファイル」におけるデータ構成の例を示す図である。図示するように、「フル楽曲ファイル」では、当該ファイルを識別するための「ファイル名」に続いて、「属性情報」、「構成情報」、「再生範囲」、「実データ」、などの各領域が含まれる。
【００３７】
「属性情報」には、当該楽曲の曲名や、演奏者や演者を示すアーティスト名、当該楽曲が収録されているアルバム名などの他、楽曲の全再生時間などを示す情報が記録される。
【００３８】
「構成情報」には、当該楽曲の特徴部分（曲特徴部分）を示す曲特徴情報が記録される。ここで「曲特徴部分」とは、例えば、「サビ」などといった、楽曲構成上の特徴部分を示すものであり、楽曲データの配信者により設定される。「構成情報」には、これらの各曲特徴部分の開始位置と終了位置とが、当該楽曲を先頭から再生した場合の経過時間によって示されている。
【００３９】
本実施形態では、理解を容易にするため、１つのフル楽曲ファイルについて、３つの曲特徴部分（サビＡ、サビＢ、サビＣ）が設定されることとする。ここでは、例えば、着信音として使用される頻度の高い曲特徴部分を設定する。例えば、歌声を含む楽曲の場合、「サビ」の部分が楽曲の特徴的な部分であり、着信音として使用される頻度が高い。したがって、本実施形態では、楽曲配信提供者によって、楽曲中のサビの部分を示す曲特徴情報が「構成情報」に設定されているものとする。なお、いずれの曲特徴部分を設定するか、および、設定可能な曲特徴部分の数などは、楽曲配信提供者により任意に設定可能であるものとする。
【００４０】
「再生範囲」には、当該楽曲のうち着信音として再生する範囲を示す情報が記録される。本実施形態では、後述する編集処理により、配信されたフル楽曲をユーザが編集することにより、再生範囲が指定される。すなわち、「再生範囲」には、移動体通信端末１００で着呼したときに、着信音として再生される楽曲中の範囲を示す情報が格納される。ここでは、当該再生範囲に該当する特徴部分の開始位置と終了位置とが、当該楽曲を先頭から再生した場合の経過時間によって示される。
【００４１】
「実データ」には、当該楽曲を再生するための楽曲データが記録される。楽曲データは、例えば、SMAF（Synthetic music Mobile Application Format）形式などのデータである。なお、楽曲データには、当該楽曲の先頭からの再生時間を示す情報（以下、「再生時間情報」とする）が含まれているものとする。
【００４２】
次に「着信音ファイル」のデータ構成を図３（ｂ）を参照して説明する。図示するように、「着信音ファイル」においては、ファイルを識別するための「ファイル名」に続いて、「属性情報」、「実データ」、などの各領域が含まれる。
【００４３】
「属性情報」については、「フル楽曲ファイル」における属性情報と同様の情報が格納される。また、「実データ」には、楽曲の一部分を示す楽曲データが記録される。着信音ファイルにおける実データは、例えば、当該楽曲のサビの部分のみを再生するための楽曲データである。ここでは、予め配信者により編集された楽曲データが記録される他、後述する編集処理によりユーザが編集した楽曲データが記録される。
【００４４】
本実施形態では、「フル楽曲ファイル」と「着信音ファイル」とが異なる領域（フォルダ）に格納されることとする。本実施形態では、フル楽曲ファイルが格納されるフォルダを「フル楽曲フォルダ」とし、着信音ファイルが格納されるフォルダを「着信音フォルダ」とする。
【００４５】
このような楽曲データは、例えば、移動体通信端末１００を用いた電話通信サービスを提供する移動体通信事業者（すなわち、通信キャリア）や、移動体通信事業者により認可された公式ウェブサイト、あるいは認可されない非公式なウェブサイトなどによって実施される楽曲配信サービスによって移動体通信端末１００に提供（配信）されるものとする。この場合、移動体通信端末１００は、各ウェブサイトを提供し楽曲データを配信する装置（以下、「楽曲配信サーバ」とする）から、インターネットなどを介して楽曲データをダウンロードする。
【００４６】
各ウェブサイトの楽曲配信サーバそれぞれは、種々の楽曲の楽曲データを蓄積し、インターネットを通じて移動体通信端末１００に楽曲データを提供する。本実施形態では、各楽曲について、フル楽曲ファイルと着信音ファイルの２タイプの楽曲ファイルが楽曲配信サーバに用意され、移動体通信端末１００からのリクエストに応じて、いずれかのタイプの楽曲ファイルを選択して配信するものとする。また、楽曲配信サーバは、蓄積されているフル楽曲ファイル毎に、各楽曲の特徴を示す曲特徴情報（構成情報）が各楽曲に対応付けられて蓄積しており、フル楽曲ファイルを配信する際には、当該楽曲に対応する曲特徴情報を併せて配信するものとする。
【００４７】
以下、この移動体通信端末１００で行われる、楽曲配信サーバが提供するウェブサイトからダウンロードしたフル楽曲の楽曲データを着呼時の着信音として編集するための「編集処理」を説明する。
【００４８】
この編集処理は、移動体通信端末１００の使用者が楽曲配信ウェブサイトからダウンロードした楽曲データの所望する任意の部分を楽曲着信音として使用可能とするものであり、操作部１３２の操作に応じて表示部１４３に表示される所定のメニューから楽曲着信音をフル楽曲の任意の部分とする編集処理が指示されると開始されるものとする。
【００４９】
まず、編集処理に先だって行われる、編集対象の楽曲を指定する手順を図４によって説明する。
【００５０】
まず、図４（ａ）に示すような、記憶部１９０に記憶されている各種データのフォルダを選択するためにファルダ一覧を表示するメニュー画面から、フル楽曲ファイルが格納されている「フル楽曲フォルダ」が、携帯電話の操作部１３２の十字カーソルキーあるいは英数字キーを操作して指定されると、図４（ｂ）に示すようにフル楽曲フォルダに格納されているフル楽曲ファイルの曲名の全てを表示する楽曲指定画面が表示される。ユーザは、十字カーソルキーまたは英数字キーを操作して所望する楽曲を指定した後に、「メニュー」ボタンを指定すると、図４（ｃ）に示すように、当該楽曲データファイルに対する各種処理についてのサブメニュー画面が表示される。そして、サブメニュー画面に表示される項目のうち、当該楽曲の編集を指定する「編集」が、十字カーソルキーまたは英数字キーを操作して指定されることで編集処理が開始される。
【００５１】
このようにして指定された楽曲を編集するために移動体通信端末１００で実行される「編集処理」を、図５に示すフローチャートを参照して説明する。
【００５２】
編集処理が開始されると、楽曲編集部１８１はまず、指定された楽曲のフル楽曲ファイルから、当該楽曲の曲特徴情報を取得し（ステップＳ１０１）、各曲特徴情報を、図９（ａ）に示すような、メニュー選択形式の「デフォルト選択画面」を作成して、表示部１４３に表示する（ステップＳ１０２）。
【００５３】
ここで、図９（ａ）に示されるデフォルト選択画面には、フル楽曲ファイルに示される３つの曲特徴部分（構成部分）が示される。本実施形態では、サビＡ、サビＢ、サビＣの３つが示されるものとする。これらは、予め楽曲配信サイト側が設定した、デフォルトの着信音として使用できる部分の候補である（以下、「デフォルト部分」とする）。このようなデフォルト選択画面により、ユーザは、着信音に含めたい曲特徴部分を選択することができる。
【００５４】
図９（ａ）に示すデフォルト選択画面には、所望する曲特徴部分（構成部分）をユーザが選択するために、３つのデフォルト部分（サビＡ、サビＢ、サビＣ）を示す曲特徴情報が選択可能に表示されている。また、楽曲配信サイト側が設定したデフォルト部分以外の部分を着信音としたい場合のために、これらのデフォルト部分を参照せずに編集するための「参照なし」という項目も表示される。「参照なし」は、３つのデフォルト部分のいずれも着信音として含めたくない場合に選択する。
【００５５】
ユーザは、操作部１３２の十字カーソルキーあるいは英数字キーを操作し、図９（ａ）に示されるデフォルト選択画面に表示されているデフォルト部分（サビＡ、サビＢ、サビＣ）のいずれかを選択し、「ＯＫ」ボタンを選択する。この操作により、選択されたデフォルト部分がいずれであるかを指定する情報が楽曲編集部１８１に入力される。本実施形態では、「サビＡ」が選択されたものとする。
【００５６】
楽曲編集部１８１は、選択されたデフォルト部分を示す曲特徴部分を、記憶部１９０の当該楽曲のフル楽曲ファイルから取得する。画面生成部１４４は、当該構成情報に示される開始位置と終了位置とを選択可能に示す、図９（ｂ）に示すような、「編集位置指定画面」を表示部１４３に表示する（ステップＳ１０３）。ここで、選択された楽曲のサビＡの範囲が、例えば、「０：４０〜０：６０」である場合、「開始位置  ０：４０」および「終了位置  ０：６０」という項目が選択可能に表示される。
【００５７】
ユーザは、操作部１３２の十字カーソルキーまたは英数字キーを操作し、「開始位置」あるいは「終了位置」のいずれかを選択して指定する。
【００５８】
ここで、着信音として使用したい範囲の先頭位置（以下、「始点」とする）をユーザが任意に指定したい場合は、編集位置指定画面上の項目「開始位置」を選択する。また、着信音として使用したい範囲の最終位置（以下、「終点」とする）をユーザが任意に指定したい場合は、編集位置指定画面上の項目「終了位置」を選択する。
【００５９】
編集位置指定画面で項目「開始位置」が選択された場合（ステップＳ１０４：Ｙｅｓ）、楽曲編集部１８１は、任意の始点を設定するための「始点設定処理」（ステップＳ２００）を実行し、項目「終了位置」が選択された場合（ステップＳ１０４：Ｎｏ）には、任意の終点を設定するための「終点設定処理」（ステップＳ３００）を実行する。各処理手順の処理内容を以下説明する。
【００６０】
図６は、楽曲編集部１８１で行われる「始点設定処理」（ステップＳ２００）の処理内容を示すフローチャートである。ここでは、所望するデフォルト部分として「サビＡ」が選択されているので、サビＡの全範囲を含みつつ、任意の始点を指定するための処理が行われる。
【００６１】
始点設定処理の処理が開始されると、楽曲編集部１８１はまず、選択された楽曲の属性情報を記憶部１９０から取得する。楽曲編集部１８１は、取得した属性情報に示される再生時間、選択されたデフォルト部分（サビＡ）の開始時間、終了時間、および、予め設定されている、楽曲着信音の最大再生時間と最小再生時間に基づいて、図１０（ａ）に示すような始点指定画面ＢＷを生成して、表示部１４３に表示する（ステップＳ２０１）。
【００６２】
ここで、最大再生時間とは、着信音として再生可能な最大時間（許容範囲）を示し、最小再生時間とは、着信音として再生可能な最小時間（許容範囲）を示す。最大再生時間は、例えば、移動体通信端末１００の性能などにより予め規定される他、例えば、ユーザにより任意に指定される。また、最小再生時間は、例えば、着信音として機能するために最小限必要な再生時間として移動体通信端末１００に予め設定される他、例えば、ユーザにより任意に指定される。本実施形態では、最大再生時間を４５秒間とし、最小再生時間を５秒間とするものとする。
【００６３】
すなわち、指定した楽曲のうち着信音として指定できる時間をｔとすると、「５秒≦ｔ≦４５秒」の範囲（すなわち、４０秒間）が、着信音として指定できる範囲（許容範囲）となる。ここで、サビＡの開始時間が０：４０で、終了時間が０：６０であるので、サビＡの再生時間（Δt）は２０秒間となる。したがって、サビＡの全範囲を着信音としても許容範囲内となる。また、Δt＜ｔであるため、選択したデフォルト部分（サビＡ）の全範囲を含めつつ、その前後で始点もしくは終点を指定可能ということになる。
【００６４】
ここで、始点指定画面ＢＷについて説明する。図１０（ａ）に示すように、始点指定画面ＢＷには、選択した楽曲の属性情報が表示される他、始点を指定する際の目安となる位置インジケータＩＮＤ１、および、当該楽曲を再生した場合の経過時間などが表示される。この位置インジケータＩＮＤ１を拡大した図１０（ｂ）を参照して説明する。
【００６５】
位置インジケータＩＮＤ１の時間スケールは、指定された楽曲の総再生時間に対応する。本実施形態では、理解を容易にするため、指定された楽曲の総再生時間を１００秒間とし、位置インジケータＩＮＤ１の最左端が００最右端が１００となる。したがって、位置インジケータＩＮＤ１上の位置は、当該楽曲を先頭から再生した場合の経過時間に対応する。
【００６６】
図１０（ｂ）に示すように、位置インジケータＩＮＤ１上には、指定したデフォルト部分を基準にフル楽曲を編集する際に参照する位置を示すバーＢ１１〜Ｂ１３、およびカーソルＣ１が表示される。始点設定処理を実行した際の位置インジケータＩＮＤ１上には、選択されたデフォルト部分、すなわち、サビＡの開始時間を示す位置４０にカーソルＣ１が表示される。
【００６７】
選択されたデフォルト部分（サビＡ）の終了時間を示す位置（位置６０）に、当該終了位置を示すバーＢ１１が表示される。
【００６８】
また、経過時間が１５秒となる位置には、着信音の始点として指定が許容される最前端を示すバーＢ１２が表示される。ここでは、着信音として再生可能な最大再生時間が４５秒間であるので、サビＡの終了位置を示す６０秒の位置から４５秒前となる１５秒の位置（位置１５）が、始点として指定可能な最前端位置として表示される
【００６９】
さらに、経過時間が９５秒となる位置（位置９５）には、始点として指定が許容される最後端を示すバーＢ１３が表示される。ここでは、着信音として再生可能な最小再生時間が５秒間であるので、楽曲の終端の位置１００から５秒前となる位置が、始点として指定可能な最後端位置として表示される。すなわち、バーＢ１３で示される位置以降を始点としても、最小再生時間（許容範囲）を満たさないため、着信音として指定することができない。
【００７０】
このように、楽曲編集部１８１は、構成情報（曲特徴情報）に基づいて、指定されたデフォルト部分（サビＡ）の時間的位置を識別し、識別した位置を基準として、カーソルやバーなどの視覚的情報を表示する。また、これらのバーなどにより、始点として指定できる範囲（許容範囲）が示される。なお、位置インジケータ上に示されるバーは、例えば、それぞれが異なる色彩で表示してもよい。こうすることにより、始点として設定可能な範囲が容易に認識できるようになる。
【００７１】
図６に示す「始点設定処理」の説明に戻る。始点指定画面ＢＷの下部領域の選択欄「再生」に対応する所定のボタンが操作されると（ステップＳ２０２：Ｙｅｓ）、再生部１８２は、当該楽曲を先頭から再生する。すなわち、当該楽曲のフル楽曲ファイルに記録されている楽曲データを再生する。また、楽曲編集部１８１は、位置インジケータＩＮＤ１上のカーソルＣ１を、当該楽曲の先頭に対応する位置、すなわち位置００にリセットし、楽曲の進行に合わせて位置インジケータＩＮＤ１上を移動するように表示する（ステップＳ２０３）。ここでは、楽曲の再生進行に合わせて、位置インジケータＩＮＤ１の左端から右方向にカーソルＣ１が移動する。楽曲編集部１８１はまた、当該楽曲の楽曲データに含まれている再生時間情報に基づいて、再生時の経過時間を秒単位にて随時表示する。この経過時間は、楽曲の先頭からの経過時間として表示する。
【００７２】
一方、上述のステップＳ２０２の判別処理で、始点指定画面ＢＷ上の下部領域にある選択欄「始点」に対応する所定のボタンが操作されたと判別された場合（ステップＳ２０２：Ｎｏ）は、「始点設定処理」を終了し、図５に示す「編集処理」のフローに戻る。この場合、カーソルＣ１の現在位置、すなわち、サビＡの開始位置が始点として指定されたことになる。この場合、指定された始点は、ユーザの任意位置ではなく、デフォルトの始点（サビＡの開始位置）と同じことになるので、ユーザが任意に終点を指定するための「終点設定処理」（図５：ステップＳ３００）に進む。
【００７３】
上述したステップＳ２０２の判別処理で、選択欄「再生」に対応する所定のボタンが操作されたことが判別されて、楽曲が先頭から再生開始されると、ユーザは、フル楽曲ファイルから読み出され、再生部１８２で再生されＤ／Ａ１８３を経てスピーカ１４２から出力された楽曲を聴きながら、着信音として用いたい部分になった時点で始点指定画面ＢＷ上の下部領域にある選択欄「始点」に対応する所定のボタンを操作する。
【００７４】
選択欄「始点」に対応するボタンが操作されると（ステップＳ２０４：Ｙｅｓ）、楽曲編集部１８１は、選択欄「再生」に対応するボタンが操作されてから選択欄「始点」に対応するボタンが操作されるまでの経過時間に応じた位置、すなわち、始点が指定されたときのカーソルＣ１の現在位置が、最後端バーＢ１３で示される最後端位置より前であるか否か、すなわち、始点の指定が許容される許容範囲内であるか否かを判別する（ステップＳ２０５）。
【００７５】
上述のステップＳ２０５の判別処理にて、始点指定が最後端位置より後で行われたものと判別された場合（ステップＳ２０５：Ｎｏ）、始点として指定された位置は、許容範囲内ではないため、ステップＳ２０１の処理に戻り、始点を再設定するために、始点指定画面ＢＷを再度表示する。
【００７６】
一方、上述のステップＳ２０５の判別処理にて、始点指定が最後端位置より前で行われたものと判別された場合（ステップＳ２０５：Ｙｅｓ）、楽曲編集部１８１は、カーソルＣ１の現在位置が、最前端バーＢ１２で示される最前端位置より後であるか否かを判別する（ステップＳ２０６）。
【００７７】
ステップＳ２０６の判別処理にて、指定された位置が最前端位置より後であると判別された場合（ステップＳ２０６：Ｙｅｓ）、楽曲編集部１８１は、指定された位置を着信音の始点として指定するとともに（ステップＳ２０７）、指定されているデフォルト部分（サビＡ）の終了位置を終点として指定する（ステップＳ２０８）。この場合、楽曲編集部１８１は、記憶部１９０にアクセスし、当該楽曲のフル楽曲ファイルにおける「再生範囲」の「始点」に、ユーザが指定した位置を示す経過時間情報を記録するとともに、「終点」に、サビＡの終了位置を示す経過時間情報を記録する。
【００７８】
すなわち、ユーザが所望するデフォルト部分がサビＡであるため、サビＡの全範囲を着信音として含めることができる場合には、サビＡの終了位置をデフォルトの終点とする。この場合、ユーザが任意に指定した位置からサビＡの終了位置までの範囲が着信音として再生されることになる。
【００７９】
ステップＳ２０８で終点が指定されると、図５に示す「編集処理」のフローに戻る。
【００８０】
一方、ステップＳ２０６の判別処理にて、ユーザが指定した位置が、最前端位置よりも前である場合（ステップＳ２０６：Ｎｏ）、当該位置を始点とした場合、指定されたデフォルト部分（サビＡ）のすべてを含めることができないことになる。この場合、楽曲編集部１８１は、指定されたデフォルト部分（サビＡ）の全範囲を着信音に含めることができない旨をユーザに通知するための、図１２（ａ）に示すようなポップアップウィンドウＰＷ１を表示部１４３に表示する（ステップＳ２０９）。
【００８１】
図示するように、ポップアップウィンドウＰＷ１には、指定した始点ではサビＡのすべてを着信音に含めることができないため、デフォルトの終点、すなわち、サビＡの終了位置を終点としない旨のメッセージが表示される。
【００８２】
この場合、楽曲編集部１８１は、ユーザが指定した位置を着信音の始点として指定するとともに、この始点から５秒後（最小再生時間分）の位置を終点として指定する（ステップＳ２１０）。ここでは、楽曲編集部１８１が、記憶部１９０にアクセスし、当該楽曲のフル楽曲ファイルにおける「再生範囲」の「始点」に、ユーザが指定した位置を示す経過時間情報を記録するとともに、この始点から５秒後（最小再生時間分）の位置を示す経過時間情報を「終点」に記録する。
【００８３】
すなわち、ユーザが所望するデフォルト部分がサビＡであるが、サビＡの全範囲を着信音として含めることができない場合には、ユーザが指定した位置から最小再生時間分経過した位置に終点とする。ここでは、終点が自動的に変更されることになる。この場合、ユーザが任意に指定した位置から５秒間の範囲が着信音として再生される。
【００８４】
なお、デフォルト部分の全範囲を含めることができない場合の再生時間は、最小再生時間に限られず任意である。
【００８５】
ステップＳ２１０で終点が指定されると、図５に示す「編集処理」のフローに戻る。
【００８６】
次に「終点設定処理」（ステップＳ３００）について説明する。この終点設定処理は、図５に示す「編集処理」において、図９（ｂ）に示す編集位置指定画面で「終了位置」が選択された場合（ステップＳ１０４：Ｎｏ）、もしくは、「始点設定処理」（ステップＳ２００）の終了後に実行される。この「終点設定処理」を、図７に示すフローチャートを参照して説明する。
【００８７】
処理が開始されると、楽曲編集部１８１は、選択された楽曲について、再生範囲が未設定であるか否かを判別する（ステップＳ３０１）。すなわち、始点設定処理の実行により、再生範囲が既に設定されている場合（ステップＳ３０１：Ｎｏ）、既にデフォルトで終点が設定されているので、そのまま処理を終了する。すなわち、図５に示す「編集処理」のフローに戻る。
【００８８】
一方、再生範囲が未設定である場合（ステップＳ３０１：Ｙｅｓ）、楽曲編集部１８１は、指定された楽曲の「再生時間」、選択されたデフォルト部分（サビＡ）の「構成情報」、および、予め設定されている「最大再生時間」と「最小再生時間」に基づいて、図１１（ａ）に示すような終点指定画面ＥＷを生成して、表示部１４３に表示する（ステップＳ３０２）。
【００８９】
ここで、図１１（ａ）に示す終点指定画面ＥＷには、終点を指定する際の目安となる位置インジケータＩＮＤ２が表示される。この位置インジケータＩＮＤ２を図１１（ｂ）を参照して説明する。図１１（ｂ）は、位置インジケータＩＮＤ２の拡大図である。なお、始点指定画面ＢＷにおける位置インジケータＩＮＤ１と同様、位置インジケータＩＮＤ２の時間スケールは、指定された楽曲の総再生時間に対応する。
【００９０】
図示するように、終点指定画面ＥＷにおける位置インジケータＩＮＤ２では、選択されたデフォルト部分（サビＡ）の終了位置（位置６０）にカーソルＣ２が表示される。
【００９１】
また、選択されたデフォルト部分（サビＡ）の開始位置（位置４０）には、当該開始位置を示すバーＢ２１が表示される。
【００９２】
このバーＢ２１が示すサビＡの開始位置から４５秒後の位置（位置８５）には、終点として指定可能な最後端を示すバーＢ２２が表示される。これは、サビＡの開始位置を始点とした場合に（デフォルトの始点）、終点として指定可能な最後端位置を示す。すなわち、サビＡの全範囲を着信音に含めたい場合には、バーＢ２２よりも前の位置で終点を指定することとなる（サビＡの全範囲を含める場合の許容範囲）。
【００９３】
また、楽曲の先頭（すなわち、「００」の位置）から５秒後の位置（すなわち、「０５」の位置）には、終点として指定可能な最前端を示すバーＢ２３が表示される。すなわち、最小再生時間が５秒間であるので、楽曲の先頭から５秒後までの位置を終点としても、最小再生時間（許容範囲）を満たす着信音とはならない。したがって、終点を指定する場合には、バーＢ２３より後の位置を指定することとなる。
【００９４】
また、終点指定画面ＥＷの下部領域には、図１１（ａ）に示すように、当該楽曲の再生を指定するための選択欄「再生」、および、終点となる位置を指定するための選択欄「終点」が表示される。
【００９５】
ここで、選択欄「再生」に対応する所定のボタンが操作されると（ステップＳ３０３：Ｙｅｓ）、楽曲編集部１８１は、再生部１８２が、当該楽曲を先頭から再生する。すなわち、当該楽曲のフル楽曲ファイルに記録されている楽曲データを再生する。また、楽曲編集部１８１は、位置インジケータ上のカーソルＣ２を、当該楽曲の先頭に対応する位置００にリセットし、楽曲の進行に合わせて位置インジケータ上を移動するように表示する（ステップＳ３０４）。すなわち、再生された楽曲の進行に合わせて、位置インジケータＩＮＤ２の左端から右方向にカーソルＣ２が移動する。なお、楽曲編集部１８１は、楽曲先頭からの再生経過時間を随時表示する。
【００９６】
楽曲が先頭から再生されると、ユーザは、再生された楽曲を聴きながら、所望する終点位置（すなわち、着信音として使用したい範囲の後端位置）になった時点で選択欄「終点」に対応する所定のボタンを操作する。
【００９７】
選択欄「終点」に対応する所定のボタンが操作されると（ステップＳ３０５：Ｙｅｓ）、楽曲編集部１８１は、選択欄「終点」が選択されたときの経過時間に基づき、指定された位置が、バーＢ２３で示される、指定可能な最前端位置より後であるか否か、すなわち、許容範囲内であるか否かを判別する（ステップＳ３０６）。
【００９８】
最前端位置より前で指定された場合（ステップＳ３０６：Ｎｏ）、指定された位置は許容範囲内ではない。ここでは、当該位置を終点としても、最小再生時間を満たす着信音とすることができないので、ステップＳ３０２に戻り、終点を指定させるため、再度、終点指定画面ＥＷを表示する。
【００９９】
一方、指定された位置が最前端位置よりも後である場合（ステップＳ３０６：Ｙｅｓ）、楽曲編集部１８１はさらに、指定された位置が、バーＢ２２で示される、指定可能な最後端位置よりも前であるか否か、すなわち、サビＡの全範囲を含める場合の許容範囲内であるか否かを判別する（ステップＳ３０７）。
【０１００】
ユーザにより指定された位置が、最後端位置よりも前である場合（ステップＳ３０７：Ｙｅｓ）、楽曲編集部１８１は、サビＡの開始位置を始点として指定するとともに（ステップＳ３０８）、ユーザによって指定された位置を終点に指定する（ステップＳ３０９）。ここでは、楽曲編集部１８１が記憶部１９０にアクセスし、当該楽曲のフル楽曲ファイルにおける「再生範囲」の「始点」に、指定されたデフォルト部分、すなわち、サビＡの開始位置を示す経過時間情報を記録するとともに、「終点」に、ユーザによって指定された位置を示す経過時間情報を記録する。
【０１０１】
ステップＳ３０９で終点が指定されると、処理を終了し、図５に示す「編集処理」のフローに戻る。この場合、サビＡの開始位置からユーザが任意に指定した位置までの範囲が着信音として再生されることになる。
【０１０２】
一方、ユーザにより指定された位置が、バーＢ２２で示される最後端位置以降である場合（ステップＳ３０７：Ｎｏ）、サビＡの開始位置から４５秒以上経過することになる。すなわち、ユーザが指定した位置を終点とした場合、指定されたデフォルト部分（サビＡ）の全範囲を着信音に含めることができない。この場合、楽曲編集部１８１は、指定されたデフォルト部分（サビＡ）の全範囲を着信音に含めることができない旨をユーザに通知するための、図１２（ｂ）に示すようなポップアップウィンドウＰＷ２を表示部１４３に表示する（ステップＳ３１０）。
【０１０３】
図示するように、ポップアップウィンドウＰＷ２には、指定した終点ではサビＡのすべてを着信音に含めることができないため、デフォルトの始点、すなわち、サビＡの開始位置を始点としない旨のメッセージが表示される。
【０１０４】
この場合、楽曲編集部１８１は、ユーザが指定した位置を着信音の終点として決定するとともに、この終点まで最小再生時間分再生する範囲を再生範囲とする。すなわち、楽曲編集部１８１は、記憶部１９０にアクセスし、当該楽曲のフル楽曲ファイルにおける「再生範囲」に、ユーザが指定した位置を示す経過時間情報を終点として設定するとともに、この始点から５秒前（最小再生時間分）の位置を示す経過時間情報を始点として指定する（ステップＳ３１１）。
【０１０５】
すなわち、ユーザが所望するデフォルト部分がサビＡであるが、サビＡの全範囲を着信音として含めることができない場合には、ユーザが指定した位置から最小再生時間分遡った位置をデフォルトの始点とする。ここでは、始点が自動的に変更されることになる。この場合、デフォルト設定された始点から５秒間の範囲が着信音として再生される。
【０１０６】
なお、デフォルト部分の全範囲を含めることができない場合の再生時間は、最小再生時間に限られず任意である。
【０１０７】
ステップＳ３１１で始点が指定されると、処理を終了し、図５に示す「編集処理」のフローに戻る。この場合、デフォルトで指定された位置からユーザが指定した終点までの範囲が着信音として再生されることになる。
【０１０８】
また、終点指定画面ＥＷ上で、選択欄「再生」が選択されずに「終点」が選択された場合（ステップＳ３０３：Ｎｏ）、サビＡの終了位置を終点として指定したことになる。この場合は、楽曲を再生せずに、指定された位置を終点とする。ここでは、ユーザが指定した位置は、サビＡの終了位置となるので、最前端位置および最後端位置によって規定される許容範囲内ということになる（ステップＳ３０６：Ｙｅｓ、Ｓ３０７：Ｙｅｓ）。したがって、サビＡの終了位置が終点として指定され（ステップＳ３０８）、サビＡの開始位置が始点として指定される（ステップＳ３０９）。すなわち、サビＡの全範囲が着信音として設定される。
【０１０９】
図５に示す「編集処理」において、「始点設定処理」もしくは「終点設定処理」により、ユーザが所望する範囲が指定され、フル楽曲ファイルに再生範囲情報が記録されると、当該再生範囲情報に基づいて、実データである楽曲データを切り出して保存するための「保存処理」が実行される（ステップＳ４００）。この「保存処理」を図８に示すフローチャートを参照して説明する。
【０１１０】
まず、楽曲編集部１８１は、記憶部１９０のフル楽曲フォルダにアクセスし、再生範囲を設定した楽曲のフル楽曲ファイルを参照する。そして、当該フル楽曲ファイルから属性情報をコピーするとともに（ステップＳ４０１）、「再生範囲」に記録されている再生範囲情報を取得する（ステップＳ４０２）。
【０１１１】
次に楽曲編集部１８１は、当該フル楽曲ファイルの「実データ」に記録されている楽曲データのうち、取得した再生範囲情報に示される範囲に対応する部分を抽出する（ステップＳ４０３）。すなわち、経過時間情報によって示される始点〜終点の範囲の楽曲データを切り出してコピーする。ここでは、楽曲データに含まれる再生時間情報に基づいて切り出す範囲を特定する。
【０１１２】
楽曲編集部１８１は、記憶部１９０の着信音フォルダにアクセスし、ステップＳ４０１でコピーした属性情報と、ステップＳ４０３でコピーした楽曲データを含んだ新規ファイルを作成し（ステップＳ４０４）、処理を終了する。
【０１１３】
上記「保存処理」によって、ユーザが所望する範囲の楽曲データが着信音ファイルとして記憶部１９０に保存される。すなわち、フル楽曲を示す楽曲データのうち、ユーザが指定した再生範囲に対応する部分が抽出されて保存される。そして、再生部１８２は、受信部１２３による音声通話の着呼（着信）などに応じて、着信音フォルダに格納されている着信音ファイルの楽曲データを再生し、楽曲着信音として出力する。すなわち、ユーザが指定した再生範囲の楽曲データが着信音として再生される。
【０１１４】
このように、上記実施形態にかかる移動体通信端末１００によれば、指定した楽曲中の所望する部分を着信音とすることができる。
【０１１５】
ここで、再生範囲の設定にあたっては、取得した構成情報（曲特徴情報）に基づいて、楽曲の特徴部分（サビなど）をデフォルトの基準として始点や終点を指定するよう画面表示する。このため、所望のデフォルト部分を指定することで、当該デフォルト部分を含んだ任意の範囲を着信音として容易に設定することができる。
【０１１６】
また、指定された始点または終点が、再生可能時間（最大再生時間や最小再生時間）などの条件に基づく許容範囲内であるか否かを判別し、許容範囲内ではない場合には、自動的に始点もしくは終点が変更されるので、適正な再生範囲の着信音を容易に指定することができる。
【０１１７】
なお、上記実施形態では、「編集処理」において、いずれかのデフォルト部分が選択された場合を説明したが、「参照なし」（図９（ａ）参照）が選択された場合には、楽曲全体の任意の位置でユーザが始点および終点を指定する。この場合も、上記実施形態と同様の始点指定画面や終点指定画面を表示する。
【０１１８】
上記実施形態は一例であり、本発明の適用範囲はこれに限られない。すなわち、種々の応用が可能であり、あらゆる実施の形態が本発明の範囲に含まれる。
【０１１９】
例えば、上記実施形態では、「始点設定処理」もしくは「終点設定処理」において「再生」が選択された場合、楽曲の先頭から再生するものとしたが、これに限られず、例えば、そのときのカーソル位置から楽曲を再生するようにしてもよい。この場合、例えば、楽曲の先頭から再生するか、カーソル位置から再生するかをユーザに選択させるようにしてもよい。
【０１２０】
また、上記実施形態では、指定された再生範囲に対応する部分の楽曲データを抽出し、着信音ファイルとして保存したが、これに限られず、例えば、フル楽曲の楽曲データのうち、再生範囲情報に示される部分のみを再生することで、指定した再生範囲に対応する部分を着信音として出力するようにしてもよい。
【０１２１】
また、上記実施形態では、配信された構成情報（曲特徴情報）に基づいて、着信音制御部１８０が所定の構成部分（デフォルト部分）の時間的位置などを識別したが、構成部分を識別する方法はこれに限られず任意である。例えば、移動体通信端末１００により、再生した楽曲に基づいて所定の構成部分を識別してもよい。この場合、例えば、再生した楽曲の音程やテンポ、調、音色などを検出することで各構成部分を識別してもよい。また、楽曲に歌声が含まれる場合には、例えば、音声認識などの手法により歌詞を認識することで、楽曲の各構成部分を識別してもよい。このような方法によれば、構成情報を配信することなく、上述した編集処理などを実行することができる他、例えば、構成情報を含まないＣＤなどの音源から楽曲データを取得して着信音として使用する場合にも、上述した編集処理などを実現することができる。
【０１２２】
また、上記実施形態では、歌声を含む楽曲を着信音とする場合を例示したが、対象とする楽曲の形態はこれに限られず任意であり、例えば、演奏のみの楽曲や、ナレーションなどであってもよい。この場合、楽曲データに対応する構成情報については、対象とする楽曲の形態に応じて任意に設定されるものとする。
【０１２３】
なお、上記実施形態にかかる着信音制御部１８０などの構成は、ハードウェアによって実現可能であることはもとより、制御部１１０のソフトウェア処理によって実現されてもよい。この場合、制御部１１０を上記着信音制御部１８０等として機能させ、上述した各処理を実現するためのプログラムを移動体通信端末１００内（例えば、記憶部１９０）に格納し、制御部１１０がこのようなプログラムを実行する。
【０１２４】
そして、このようなプログラムが予め組み込まれた移動体通信端末１００として提供可能なことはもとより、既存の移動体通信端末に上記プログラムを適用することで、上記実施形態にかかる移動体通信端末１００として機能させることもできる。
【０１２５】
このようなプログラムの提供方法は任意であり、例えば、インターネットなどの通信媒体を介して提供可能である他、例えば、メモリカードなどの記録媒体に格納して配布してもよい。
【図面の簡単な説明】
【０１２６】
【図１】本発明の実施形態にかかる移動体通信端末の外観を模式的に示す図である。
【図２】図１に示す移動体通信端末の構成を示すブロック図である。
【図３】図２に示す記憶部に格納される情報の例を示す図であり、（ａ）は「フル楽曲ファイル」のデータ構成の例を示し、（ｂ）は「着信音ファイル」のデータ構成の例を示す図である。
【図４】本発明の実施形態にかかる「編集処理」を開始するまでの画面表示例を示す図であり、（ａ）は「メニュー画面」の例を示し、（ｂ）は「楽曲指定画面」の例を示し、（ｃ）は「サブメニュー」の例を示す。
【図５】本発明の実施形態にかかる「編集処理」を説明するためのフローチャートである。
【図６】「編集処理」において実行される「始点設定処理」を説明するためのフローチャートである。
【図７】「編集処理」において実行される「終点設定処理」を説明するためのフローチャートである。
【図８】「編集処理」において実行される「保存処理」を説明するためのフローチャートである。
【図９】「編集処理」における画面表示例を示す図であり、（ａ）は「デフォルト選択画面」の例を示し、（ｂ）は「編集位置指定画面」の例を示す。
【図１０】「始点設定処理」における画面表示例を示す図であり、（ａ）は「始点指定画面」の例を示し、（ｂ）は「位置インジケータ」の例を示す。
【図１１】「終点設定処理」における画面表示例を示す図であり、（ａ）は「終点指定画面」の例を示し、（ｂ）は「位置インジケータ」の例を示す。
【図１２】「編集処理」における画面表示例を示す図であり、（ａ）は「始点設定処理」において表示されるポップアップウィンドウの例を示し、（ｂ）は「終点設定処理」において表示されるポップアップウィンドウの例を示す。
【符号の説明】
【０１２７】
１００…移動体通信端末、１１０…制御部、１４３…表示部、１８０…着信音制御部、１８１…楽曲編集部、ＢＷ…始点指定画面、ＥＷ…終点指定画面、ＩＮＤ１，ＩＮＤ２…位置インジケータ、ＰＷ１，ＰＷ２…ポップアップウィンドウ
【図１】
2006091680.tif 000003
【図２】
2006091680.tif 000004
【図３】
2006091680.tif 000005
【図４】
2006091680.tif 000006
【図５】
2006091680.tif 000007
【図６】
2006091680.tif 000008
【図７】
2006091680.tif 000009
【図８】
2006091680.tif 000010
【図９】
2006091680.tif 000011
【図１０】
2006091680.tif 000012
【図１１】
2006091680.tif 000013
【図１２】
2006091680.tif 000014